(57)【要約】ケースの機能は、ケース内部に位置付けられたディスクを、傷、指紋、埃又は同様のもの等の損傷から保護することである。ディスクへのアクセスが必要な際は、ケースは、ディスクドライブ等の挿入口へと挿入されなければならず、ケースのアクセス窓を開ける。従来技術から既知であるケースは、矩形の形状及びケースの一側で位置付けられた可動のスライダを有する。本発明は、ディスク用のケースに係る。該ケースは、少なくとも２つのシェルを有し、該少なくとも２つのシェルは、閉鎖位置と開放位置との間で少なくとも１つの軸の周囲で回転可能であり、該シェルの外側壁は、ケースの閉鎖位置においてケースの三角形を定義付け、シェルの内側壁はケースの開放位置においてアクセス窓を定義付け、アクセス窓を介してディスクへのアクセスを与える。
2007513450.tif 000002
【特許請求の範囲】
【請求項１】
閉鎖位置と開放位置との間で軸の周囲で回転可能である少なくとも２つのシェルを有するディスク用ケースであって、
前記シェルの外側壁は、前記ケースの前記閉鎖位置において前記ケースの三角形を定義付け、
前記シェルの内側壁は、前記ケースの前記開放位置においてアクセス窓を定義付け、前記アクセス窓を介して前記ディスクへのアクセスを与える、
ケース。
【請求項２】
前記外側壁の少なくとも一部は、前記ケースの前記開放位置において互いに対して略平行である、ことを特徴とする、
請求項１記載のケース。
【請求項３】
前記ケースは、ディスクドライブの挿入口又は同様のものへと挿入可能である、ことを特徴とし、
前記ケースは、前記ケースが前記挿入口へと挿入されると同時に、前記閉鎖位置から前記開放位置へと自動的に移動される、
請求項１記載のケース。
【請求項４】
前記閉鎖位置における前記ケースの幅は、前記挿入口の幅より広い又は大きい、ことを特徴とする、
請求項３記載のケース。
【請求項５】
前記開放位置における前記ケースの幅は、前記挿入口の前記幅に略相当する、ことを特徴とする、
請求項３記載のケース。
【請求項６】
前記挿入口の前記幅は、前記ケースの内側に位置付けされ前記ディスクの直径と前記ケース内の前記ディスクの遊びと前記ケースの外側壁の厚さとを合わせたものに略相当する、ことを特徴とする、
請求項３記載のケース。
【請求項７】
前記シェルは、１つの軸の周囲で相互に回転するよう共に結合される、ことを特徴とする、
請求項１記載のケース。
【請求項８】
前記シェルは、直接共に結合される、ことを特徴とする、
請求項７記載のケース。
【請求項９】
前記１つの回転軸は、前記ケース内部に位置付けられた前記ディスクの中心と一致する、ことを特徴とする、
請求項７又は８記載のケース。
【請求項１０】
前記シェルは、２つの軸の周囲で相互に回転するよう支持部材に対して取り付けられる、ことを特徴とする、
請求項１記載のケース。
【請求項１１】
前記シェルは、前記支持部材に対して接続されることによって間接的に共に結合される、ことを特徴とする、
請求項１０又は１１記載のケース。
【請求項１２】
前記２つの回転軸は、前記ディスクの中心から距離をおいて位置付けられる、ことを特徴とする、
請求項１０又は１１記載のケース。
【請求項１３】
前記ケースは、前端部を有し、該前端部に対して前記外側壁が前記ケースの前記閉鎖位置において集まる、ことを特徴とし、
前記ケースの前記前端部は、前記ケースの前記外側壁が前記挿入口の境界壁と接触するまでディスクドライブの挿入口又は同様のものへと挿入可能である、
請求項１記載のケース。
【請求項１４】
前記シェルは、前記ケースの前記挿入口への連続する挿入とともに相互に回転し始め、前記ケースの前記前端部で前記アクセス窓を作る、ことを特徴とする、
請求項１３記載のケース。
【請求項１５】
請求項無１乃至１４のうちいずれか一項記載のケースであって、
読込み可能なディスク及び／又は記録可能なディスクを収容する、
ケース。
【発明の詳細な説明】
【技術分野】
【０００１】
本発明は、ディスク、特には光ディスク又は磁気ディスク又は光磁気ディスクに対するケースに係る。かかるケースは、コンテナ又はキャディと称されることがしばしばある。本発明は、かかるディスクを収容するケースに更に係る。
【背景技術】
【０００２】
ケースの機能は、ケース内部に位置付けられたディスクを傷、指紋、埃、又は同様のもの等の損傷から保護することである。ディスク上に格納されたデータへのアクセスが必要となる際、ケースは、ディスクドライブ等の挿入口へと挿入される必要があり、それによってケースのアクセス窓を開いてディスクへのアクセスを与える。
【０００３】
従来技術から既知であるケースは、矩形の形状、及びケースの一側に位置付けられた可動のスライダを有する。ケースの閉鎖位置においてスライダは、ケース内のアクセス窓を覆う。ケースが挿入口へと挿入される際、スライダはディスクドライブ内の機械的部品又は部分によって押しのけられ、その結果ケースのアクセス窓が開いてディスクへのアクセスを与える。
【発明の開示】
【発明が解決しようとする課題】
【０００４】
本発明は、ディスク、特には光ディスク又は磁気ディスク又は光磁気ディスクに対するケースを与えることを目的とする。
【課題を解決するための手段】
【０００５】
当該ケースは、少なくとも２つのシェルを有し、少なくとも２つのシェルは、閉鎖位置と開放位置との間で少なくとも１つの軸の周囲で回転可能である。前出のシェルの外側壁は、ケースの前出の閉鎖位置においてケースの三角形の形状を定義付け、前出のシェルの内側壁は、ケースの前出の開放位置においてアクセス窓を定義付け、該アクセス窓を介してディスクにアクセスを与える。ケースの前出の開放位置において、前出の外側壁の少なくとも一部分は、互いに対して略平行である。おおよその三角形又は円錐形は、「三角形の形状」という表現のもとにあることが理解されるべきである。アクセス窓は、シェルの相対的回転によってケースの一側で与えられる。アクセス窓は、回転するシェルの内側壁によって定義付けられる。シェルの回転中及びケースを開ける間、埃又は他の汚れはアクセス窓へと入ってこない。これは、従来技術から既知であるケースではしばしば発生する。
【０００６】
ケースは、ディスクドライブの挿入口又は同様のものへと挿入可能である。ディスクドライブ内部での追加的な機械的部品又は部分を必要とせずに前出の挿入口へとケースを挿入すると同時に、該ケースは、前出の閉鎖位置から前出の記開放位置へと自動的に移動される。
【０００７】
本発明の望ましい一実施例によれば、シェルは、１つの軸の周囲で相互に回転するよう直接共に結合され、前出の１つの回転軸は、ディスクの中心と一致する。
【０００８】
本発明の他の望ましい一実施例によれば、シェルは、２つの軸の周囲で相互に回転するよう支持部材に対して両シェルを取り付けることによって、共に結合され、前出の２つの回転軸は、ディスクの中心から距離をおいて位置付けられる。
【発明を実施するための最良の形態】
【０００９】
更に望ましい実施例は、請求項中に記載される。
【００１０】
図１乃至図９は、本発明の第１の望ましい実施例に従ったディスク用ケースの一例を異なる図で示す。図１及び図３は、閉鎖位置にあるケース１の上面図及び底面図であり、図２，４及び５は、開放位置にあるケース１の上面図及び底面図である。図８及び図９は、ディスクドライブの挿入口とともにケース１を図示し、この場合ケース１はケース１内に位置付けられたディスク３に対してアクセスを与えるよう挿入されなければならない。
【００１１】
図１乃至図９に従ったケース１は、２つのシェル４，５を有する。シェル４及び５の各々は、ケース１の半分を与える。シェル４及び５は、支持部材６に対して取り付けられ、２つのシェル４及び５は、互いに対して相対的に、及び支持部材６に対して相対的に回転し得る。図１乃至図４中図示される通り、シェル４及び５の各々は、軸７及び８の周囲で回転する。シェル５は軸７の周囲で回転し、シェル４は軸８の周囲で回転する。図４に図示する通り、２つの回転軸７及び８は、ディスク３の中心９から距離をおいて位置付けられる。支持部材６の一部分１０は、ケース１を容易に挿入口２へと挿入するためのグリップ又はハンドルとしての役割を果たす。
【００１２】
２つのシェル４及び５の各々は、外側壁１１及び内側壁１２を有する。ケースの閉鎖位置では（図１及び図３参照）、内側壁１２は、互いに対して近接して位置付けられ、互いに対して接触する。外側壁１１は、ケース１の前端部１３に集まる。ケース１の閉鎖位置においては、外側壁１１は、ケース１の円錐形又は三角形を定義付ける。
【００１３】
ケース１を開くよう、ケース１を図１及び図３に従った閉鎖位置から図２及び図４に従った開放位置へと動かすよう、シェル４及び５は、軸７及び８の周囲で相互に回転され得る。シェル４及び５の回転に対して、シェル４及び５の内側壁１２は、互いから離れて動かされ、その結果、少なくとも前端部１３の領域において２つの内側壁１２の間で操作開口又はアクセス窓１４を作る。シェル４及び５のケース１の開放位置での動きの後、前出の外側壁１１の少なくとも一部分は、互いに対して略平行である。アクセス窓１４は、ディスク３にアクセスを与え、それ故にディスク３上に記憶されたデータへのアクセスを与える。
【００１４】
図８及び図９に図示する通り、ケース１は、ディスクドライブの挿入窓への挿入に対して適切である。挿入口２は、挿入口２の境界壁１５によって定義付けられた幅Ｗ２を有する。ディスク３を有するケース１は、前端部１３を有して挿入口２へと挿入され得る。図８より、閉鎖位置におけるケース１の幅Ｗ１，Ｃは、挿入口の幅Ｗ２より広い又は大きい、ことが判り得る。閉鎖位置におけるケース１の幅Ｗ１，Ｃは、シェル４及び５の外側壁１１の後方端部１６によって定義付けられる。後方端部１６は、前端部１３に対してケース１の対向する端部に位置付けられる。
【００１５】
図９より、挿入口２の幅Ｗ２は、ディスク３の直径と、ケース１内のディスク３の遊びと、ケース１の外側壁の厚さとを合わせたものに略相当する、ことが判り得る。開放位置におけるケース１の幅Ｗ１，Ｏは、挿入口２の幅Ｗ２に略一致する。
【００１６】
図６及び図８より、シェル４及び５の各々は、ケースの前端部１３に対して対向する領域において内側壁１２で凹部１７を有する、ことが判り得る。これによって、シェル４及び５がケース１の挿入中に軸７及び８の周囲で挿入口２において回転することが、可能となる。内側壁１２内部の近接する凹部１７の境界は、シェル４及び５の回転を互いに対して相対的に制限するようストローク又はバックストップとしての役割を果たす。凹部１７がシェル４及び５の内側壁において与えられるため、シェル４及び５の厚さ又はシェル４及び５の内側壁１２の厚さは、完全に同一であり得る。シェルの回転中にシェル４又は５の一方を他方のシェル５又は４へと押すあるいは挿入する必要はない。
【００１７】
図１０乃至図１５は、ディスク１９用のケース１８の第２の望ましい実施例を図示する。図１０乃至図１５に従ったケース１８は、やはり２つのシェル２０及び２１を有し、シェル２０及び２１の各々は、ケース１０の半分を与える。ケース１９のシェル２０及び２１は、図１乃至図９に従った実施例とは対照的に、支持部材に対して接続されず、１つの軸２２の周囲での２つのシェル２０及び２１の相対的回転に対して、互いに対して直接結合される。２つのシェル２０及び２１の回転軸２２は、ケース１８の内側に位置付けられたディスク１９の中心２３と一致する。
【００１８】
図１乃至図９に従った実施例と、図１０乃至図１５に従った実施例との主な相違は、図１０乃至図１５の第２の実施例によれば、２つのシェル２０及び２１が１つの軸２２の周囲で互いに対して回転すること、並びに、２つのシェル２０及び２１が互いに対して直接結合されること、である。図１乃至図９に従った第１の実施例では、２つのシェル４及び５は、２つの軸７及び８の周囲で互いに対して相互に回転し、２つのシェル４及び５は、支持部材６に対して取り付けられ、それ故に間接的に共に結合される。
【００１９】
図１０及び図１２より、ケース１８がケース１８の閉鎖位置において三角形を有する、ことが判り得る。シェル２０及び２１の外側壁２４は、ケース１８の閉鎖位置にあり、ケース１８の前端部２５に集まる。シェル２０及び２１の内側壁２６は、互いに対して接触してケース１８の閉鎖位置にある。
【００２０】
ケース１８内部に位置付けられたディスク１９にアクセスを与えるよう、ケース１８のシェル２０及び２１は、軸２２の周囲で相互に回転され得、その結果ディスク１９にアクセスを与えるよう２つの内側壁２６の間にアクセス窓２７を作る。ケース１８の開放位置（図１１及び図１３参照）において、２つのシェル２０及び２１の外側壁２４は、互いに対して略平行である。
【００２１】
図示された実施例においてはシェル２１であるが、２つのシェル２０及び２１の一方は、部分２８を有し、該部分２８は、２つのシェル２０及び２１の軸２２の周囲での回転中、他方のシェル２１へと押されるか挿入されなければならない。図１４は、シェル２０内部の凹部２９を示す。シェル２１の部分２８は、ケース１８の前端部２５で２つの内側壁２６の間にアクセス窓２７を開くよう、２つのシェル２０及び２１の回転中に該凹部２９へと挿入され得る。
【００２２】
本発明によって、ディスク用のケース又は所謂コンテナ又はキャディに対する新しい設計が与えられ、傷、指紋、埃、又は同様のもの等の損傷からディスクを保護するようにされる。ケースの外側壁は、ケースの閉鎖位置においてケースの円錐形又は三角形を定義付ける。ケースは、ケースをディスクドライブの挿入口又は同様のものへと単純に挿入することによって、容易に開かれ得る。ケースは、２つのシェルを有し、該シェルは、１つの軸又は２つの軸の周囲で互いに対して相互に回転し得る。２つのシェルがケース内のディスクの中心と一致する１つの軸の周囲で回転する場合は、２つのシェルは直接結合される。２つのシェルが２つの軸の周囲で回転する場合は、２つのシェルは支持部材に対して取り付けられることによって間接的に結合される。ケースは、ケースが挿入口へと挿入されている間に自動的に開く。挿入口内部では、ディスクへのアクセスを可能にするためにアクセス窓を開く追加的な機械的手段は必要ない。シェルの回転中及びケースが開く間、埃又は他の汚れが、アクセス窓へと入ってくることはない。
【図面の簡単な説明】
【００２３】
【図１】ケースの閉鎖位置にある本発明の第１の望ましい実施例に従ったディスク用ケースの上面図である。
【図２】ケースの開放位置にある図１に従ったケースの上面図である。
【図３】ケースの閉鎖位置にある図１及び図２に従ったケースの底面図である。
【図４】ケースの開放位置にある図１乃至図３に従ったケースの底面図である。
【図５】ケースの開放位置にある図１乃至図４に従ったケースの底面斜視図である。
【図６】図３に従ったケースの左半分を図示する。
【図７】図３及び図６中に図示される方向ＶＩＩ−ＶＩＩにおける図１乃至図６に従ったケースを介した断面図である。
【図８】ディスクドライブの挿入口とともに閉鎖位置にある図１乃至図８に従ったケースを図示する。
【図９】ディスクドライブの挿入口とともに開放位置にある図１乃至図８に従ったケースを図示する。
【図１０】ケースの閉鎖位置にある本発明の第２の望ましい実施例に従ったディスク用ケースの上面図である。
【図１１】ケースの開放位置にある図１０に従ったケースの上面図である。
【図１２】ケースの閉鎖位置にある図１０乃至図１１に従ったケースの底面図である。
【図１３】ケースの開放位置にある図１０乃至図１２に従ったケースの底面図である。
【図１４】図１２に従ったケースの左半分を図示する。
【図１５】図１２及び図１４中に図示される方向ＸＶ−ＸＶにおける図１０乃至図１４に従ったケースの断面図を図示する。
【図１】
2007513450.tif 000003
【図２】
2007513450.tif 000004
【図３】
2007513450.tif 000005
【図４】
2007513450.tif 000006
【図５】
2007513450.tif 000007
【図６】
2007513450.tif 000008
【図７】
2007513450.tif 000009
【図８】
2007513450.tif 000010
【図９】
2007513450.tif 000011
【図１０】
2007513450.tif 000012
【図１１】
2007513450.tif 000013
【図１２】
2007513450.tif 000014
【図１３】
2007513450.tif 000015
【図１４】
2007513450.tif 000016
【図１５】
2007513450.tif 000017
【国際調査報告】
2007513450.tif 000018
2007513450.tif 000019
2007513450.tif 000020